(57)【要約】【課題】遠近両方を交互に見る必要があるときに、老眼鏡の掛け外しが頻繁になったり、老眼鏡と近眼鏡とを交互に掛け外しするというような煩わしさが不要となる老眼鏡用の、又は上記したような近眼鏡やカラー眼鏡、度数の異なる眼鏡などにも取替えることが自在な眼鏡スタンドを提供する。【解決手段】テーブル上に置く台に支柱を立設し、支柱の上端に眼鏡を取り付けてなり、支柱は、台に直接立設されるパイプ製の本支柱と、本支柱の上端部に上下可能に嵌まる同じくパイプ製の可動支柱との組合せからなり、本支柱の上端にキャップ状で可動支柱が貫通する制動ナットを螺着するとともに、制動ナットの内空上部と本支柱の上端との間に、制動ナットの締付けにより可動支柱と摩擦するよう変形するゴムリングを設けてある。【選択図】    図１
0003150113.tif 000002
【実用新案登録請求の範囲】
【請求項１】
テーブル上に置く台に支柱を立設し、支柱の上端に眼鏡を取り付けてなり、支柱は、台に直接立設されるパイプ製の本支柱と、本支柱の上端部に上下可能に嵌まる同じくパイプ製の可動支柱との組合せからなり、本支柱の上端にキャップ状で可動支柱が貫通する制動ナットを螺着するとともに、制動ナットの内空上部と本支柱の上端との間に、制動ナットの締付けにより可動支柱と摩擦するよう変形するゴムリングを設けてあることを特徴とする眼鏡スタンド。
【請求項２】
テーブル上に置く台に支柱を立設し、支柱の上端に眼鏡を取り付けてなり、支柱が自在に曲がるフレキシブルパイプからなることを特徴とする眼鏡スタンド。
【考案の詳細な説明】
【技術分野】
【０００１】
この考案は、例えば読書中やパソコン操作中、テレビ観賞中等に手前に立てて使用する眼鏡スタンドに関する。特に老眼の人にとっては老眼鏡スタンドとして機能し、近眼者の場合には必要に応じて適宜近眼鏡スタンドとすることができ、或いは時に目の疲れを癒すカラー眼鏡スタンドとして、又は度数を違わせた眼鏡に取替ることができる眼鏡スタンドに関する。以下の説明の便宜上老眼鏡用の眼鏡スタンドを代表事例として説明していく。
【背景技術】
【０００２】
老眼は年齢とともに水晶体の弾性が失われる結果、目の調整力が衰えて近くの物がかすむ現象の一つであって、３０センチメートル以上離さないとよく見えないというときには老眼を疑って見る必要があるとされ、老眼鏡がその助けとなり近くでもはっきりする。
【０００３】
普通の老眼鏡は、一般的に左右一対のレンズを嵌め込むフレーム本体の両端に耳に掛けるツルを開閉可能に取り付けたもので、フレーム本体の中央に鼻掛けが設けられているから、鼻と両耳に掛けて安定した着用状態が得られるので、新聞を読む等細かい字を近くで見るときには掛け通しに使用される。
【考案の概要】
【考案が解決しようとする課題】
【０００４】
しかし、普通の老眼鏡を着用していると、身体とは別の異物であるので、誰もが着用に違和感や抵抗を感じることはもとより、長い時間にわたって着用していると、掛かっている鼻や耳に痛みが感じられ違和感が強く不快になる。加えて、遠くを見るときには、着用のままでは良く見えないため外す必要があることである。例えば、新聞を読んでいるときにテレビに目をやるときには面倒でも一旦外す必要がある。逆も言えるし近眼でもあったり状態や状況によって使用が混雑し、比較的近い距離違いで、近眼鏡と交互の掛け外しを頻繁に繰り返す必要があり一層煩雑である。例えば、パソコンの操作中に辞書や資料を見るときがそうである。
【０００５】
この考案は、上記のような実情に鑑みて、遠近両方を交互に見る必要があるときに、老眼鏡の掛け外しが頻繁になったり、老眼鏡と近眼鏡とを交互に掛け外しするというような煩わしさが不要となる老眼鏡用の、又は上記したような近眼鏡やカラー眼鏡、度数の異なる眼鏡などにも取替えることが自在な眼鏡スタンドを提供することを課題とした。
【課題を解決するための手段】
【０００６】
上記の課題を解決するために、この考案は、テーブル上に置く台に支柱を立設し、支柱の上端に眼鏡を取り付けてなり、支柱は、台に直接立設されるパイプ製の本支柱と、本支柱の上端部に上下可能に嵌まる同じくパイプ製の可動支柱との組合せからなり、本支柱の上端にキャップ状で可動支柱が貫通する制動ナットを螺着するとともに、制動ナットの内空上部と本支柱の上端との間に、制動ナットの締付けにより可動支柱と摩擦するよう変形するゴムリングを設けてあることを特徴とする眼鏡スタンドを提供する（請求項１）。
【０００７】
また、この考案は、テーブル上に置く台に支柱を立設し、支柱の上端に眼鏡を取り付けてなり、支柱が自在に曲がるフレキシブルパイプからなることを特徴とする眼鏡スタンドを提供するものである（請求項２）。
【考案の効果】
【０００８】
この考案の眼鏡スタンドによれば、上記のように、例えば、老眼鏡の高さを調節できるから、遠近両方を交互に見る必要のあるときには、遠方を見る妨げにならない高さに設定しておけば、遠方を老眼鏡の上を越えて見ることができ、近くの物に対しては、老眼鏡に顔を添えてそれを見ることができるから、老眼鏡を掛けない解放された状態で快適に視覚作業や観賞をなすことができるとともに、老眼鏡を掛け外しする煩わしさからも解放される。近眼で老眼であるという場合でも、常時近眼鏡のみを着用して同様に作業や観賞をなすことができ、遠近両方の２つの眼鏡を交互に掛け外しする煩わしさから解放されるという優れた効果がある。また、上記したように、必要に応じて、近眼鏡用、カラー眼鏡用、度数の異なる眼鏡にも適宜、適用することができる。
【図面の簡単な説明】
【０００９】
【図１】この考案に係る一実施例としての老眼鏡スタンドを示す斜視図である。
【図２】同眼鏡スタンドにおいて可動支柱の制動機構および本支柱の取付け構造を示す一部拡大断面図である。
【図３】実施例２の眼鏡スタンドを示す斜視図である。
【考案を実施するための形態】
【００１０】
以下に、最も簡単で取り扱いやすいものとして考えた実施例を図面について説明する。請求項１の考案がほゞ実施例１に相当し、請求項２の考案がほゞ請求項２に相当する。以下、両方の眼鏡スタンドＳについて説明する。
【実施例１】
【００１１】
眼鏡スタンドＳは、代表例としての老眼鏡３を取付けたスタンドで、台１の上に支柱２を立設し、その上に老眼鏡３が取り付けられている。台１は木製であるが、プラスチック製、金属製等であっても良く、また、四角錘台形であるが、安定して支柱２を支持できれば良いので様々な形状となる。
【００１２】
支柱２は、径が異なる２本の金属パイプの結合により高さ調整可能な構造となっており、台１に直接取り付けられる本支柱２ａの上端部にそれよりも細い可動支柱２ｂが上下可能に差し込まれ、本支柱２ａの上端には可動支柱２ｂが通る制動ナット５が螺着され、その中にはゴムのリング６が内装され、リング６が本支柱２ａの端面に当てられているので、制動ナット５を締めるとそれがリング６を圧迫して内径方向に膨出させるので、リング６と可動支柱２ｂとの間の摩擦が大きくなる。
【００１３】
使用するには、制動ナット５の締めを適度に調整可能に設定しておくもので、可動支柱２ｂの上下により老眼鏡３の高さを変更すれば、可動支柱２ｂが制動によりそのままの位置で止まるから、可動支柱２ｂを上下するだけで老眼鏡３の高さを自由に調節できる。また、本支柱２ａに対して可動支柱２ｂが回転自在であるから、老眼鏡３の方角も自由に調整できる。
【００１４】
支柱２の取り付けについては、本支柱２ａの下端に雌ねじ８を埋め込んで固定し、台１の裏側から通したビス１０を雌ねじ８に螺入される。老眼鏡３に顔を付けやすく、手前に近くなるようやゝ後ろ傾斜（ただし、台１を前後に水平反転すると「前傾斜」となる）に支柱２が固定されている。しかし、図示はしないが、全方向若しくは前後に角度を調整できるように取り付けておくと好都合な場合ある。全方向傾斜可能にするには、例えば、本支柱２ａの下端に球体を取り付け、台１には球体を回転自在に抱え込む一対の碗体からなる保持器を取り付けておく等の手段を挙げることができる。なお、１４は体裁のために本支柱２ａの下端に嵌められる目隠しキャップである。
【００１５】
老眼鏡３は、普通に市販されているような老眼鏡を利用したもので、左右のツルは不要であるため外されている。したがって、左右のレンズ７，７とそれが嵌まる本体フレーム９とからなるもので、鼻掛け１１，１１は必ずしも要しないが、有ればこれに自分の鼻を掛けて顔の位置決めをしやすいので、有るがままにしておいた。つまり、左右のツルだけを外して可動支柱２ｂの上端に取り付けた。
【００１６】
老眼鏡３には、本体フレーム９の左右リングの間に、上下連結線材１５，１５を有するので、これを老眼鏡３の取り付けに利用した。この場合、老眼鏡３には視覚方向面に下向きの角度を付けた。取り付け方については、可動支柱２ｂの上端部１７を平たく潰して前に屈折して傾斜させ、その偏平上端部１７に前記上下連結線材１５，１５を添えるとともに、その上に板状の締め金１９を当て、ビス２１を締め金１９から偏平上端部１７に螺入して、締め金１９で連結線材１５，１５を締めつけた。したがって、老眼鏡３の取り付け角度は固定されているが、角度傾斜可能にしても良い。
【００１７】
老眼鏡３は、上記したように既成のものを利用したが、特別に作っても良いことはいうまでもない。また、他の実施例として「近眼鏡」、「カラー眼鏡」、「異度数眼鏡」などについても同様に実施できることは言うまでもない。
【００１８】
使用例は様々となるが、代表的な２つの使用例を説明する。
（１）パソコンの画面（視覚矢印Ｐａ参照）は眼鏡無しでも見られるが、キーボード２３や資料２５を見るときには見づらいという場合には、キーボード２３の前に眼鏡スタンドＳを置き、画面を見る視界（矢印Ｐａ）の妨げにならないように、老眼鏡３を低く設定しておく。そうして、普通に画面を見ながらキーボード２３を打ち、途中で特別なキーを探しづらくなったときには、老眼鏡３に目を当てながら探す（矢印Ｐｂ）。また、途中で資料を見るときには、資料２５を老眼鏡３の前方に回し、予め見やすい箇所に資料２６を予め置いておき、老眼鏡３を通して解読することができる。こうすれば、老眼鏡３を掛けたり外したりするような煩わしさから解放されることになる。
【００１９】
（２）テレビに観賞中にテーブルの上に眼鏡スタンドを立てておけば、新聞の番組を見るときに同じように顔を添えて細かな文字も解読できる。
【実施例２】
【００２０】
眼鏡スタンドＳは、台１に支柱２を取り付け、その上端に老眼鏡３を取り付けたものであるが、支柱２にフレキシブルパイプを使用することにより、老眼鏡３の位置を３次元的に（高さ、左右、前後のいずれにも）、また、向きも自由自在に変えることができるようにしたものである。
【００２１】
その他については前記実施例とほゞ同様であるが、同符号を付して説明を省略する。ただ、支柱２がフレキシブルの一本のパイプであるので、老眼鏡３の取り付けについては、その支柱２の上端に太いパイプで上端の径をやゝ絞った基部補助パイプ３１を嵌着し、その基部補助パイプ３１に嵌まる細い先部補助パイプ３３を差し込み、それに老眼鏡３の上下連結線材１５，１５を添える偏平上端部１７が形成される。なお、基部補助パイプ３１にはそれと先部連結パイプ３３との結合が隠れるようキャップ３５が嵌着される。
【００２２】
この実施例２においても、「近眼鏡」、「カラー眼鏡」、「異度数眼鏡」が同様に適用されることは言うまでもない。
【符号の説明】
【００２３】
Ｓ  眼鏡スタンド
１  台
２  支柱
２ａ  本支柱
２ｂ  可動支柱
３  老眼鏡
５  制動ナット
６  リング
【図１】
0003150113.tif 000003
【図２】
0003150113.tif 000004
【図３】
0003150113.tif 000005
【手続補正書】
【提出日】平成21年3月4日(2009.3.4)
【手続補正１】
【補正対象書類名】実用新案登録請求の範囲
【補正対象項目名】請求項２
【補正方法】変更
【補正の内容】
【請求項２】
テーブル上に置く台に支柱を立設し、支柱の上端に眼鏡を取り付けてなり、支柱が自在に曲がるフレキシブルパイプからなることを特徴とする請求項１記載の眼鏡スタンド。